【手続補正書】
【提出日】平成21年12月8日(2009.12.8)
【手続補正１】
【補正対象書類名】特許請求の範囲
【補正対象項目名】全文
【補正方法】変更
【補正の内容】
【特許請求の範囲】
【請求項１】
複数の副搬送波を使用する多重アクセス通信システムにおいて、第１副搬送波を第１データを伝送する第１通信端末に、そして、第２副搬送波を第２データを伝送する第２通信端末に割り当てる段階と、
前記第１通信端末を、第１複数搬送波変調方式を使用して前記第１データを少なくともいくつかの前記第１副搬送波上に変調し、第１信号を生成することに割り当てる段階と、
前記第２通信端末を、前記第１複数搬送波変調方式との関係において低減されたピーク対平均電力比（ＰＡＰＲ）を具備した第２複数搬送波変調方式を使用して前記第２データを少なくともいくつかの前記第２副搬送波上に変調し、第２信号を生成することに割り当てる段階と、
前記第１及び第２信号を前記第１及び第２副搬送波上において同時に受信することにより、前記第１及び第２通信端末と同時に通信する段階と、
を有する通信用の方法。
【請求項２】
前記第１信号は、直交周波数分割多重アクセス（ＯＦＤＭＡ）信号を有する請求項１記載の方法。
【請求項３】
前記第１及び第２通信端末は、それぞれ、基地局（ＢＳ）と通信する第１及び第２加入者局（ＳＳ）を有する請求項１又は２記載の方法。
【請求項４】
前記第１及び第２通信端末と通信する段階は、ＩＥＥＥ８０２．１６ｅ規格のＡＭＣ（Ａｄａｐｔｉｖｅ  Ｍｏｄｕｌａｔｉｏｎ  ａｎｄ  Ｃｏｄｉｎｇ）モード、ＰＵＳＣ（Ｐａｒｔｉａｌｌｙ−Ｕｓｅｄ  Ｓｕｂ−Ｃｈａｎｎｅｌｉｎｇ）モード、ＦＵＳＣ（Ｆｕｌｌｙ−Ｕｓｅｄ  Ｓｕｂ−Ｃｈａｎｎｅｌｉｎｇ）、及びＯｐｔｉｏｎａｌ  ＰＵＳＣモードから構成されるモードの群から選択された少なくとも１つのアップリンクモードにおいて動作する段階を有する請求項３記載の方法。
【請求項５】
前記第２信号は、第２副搬送波の中の等しく離隔した副搬送波の組を占有する周波数シフトされた周期的な波形を有する請求項１又は２記載の方法。
【請求項６】
前記第２信号は、単一搬送波信号及びフィルタリング済みの単一搬送波信号の中のいずれかの特性を具備した波形を有する請求項１又は２記載の方法。
【請求項７】
前記第２通信端末を前記第２データを変調することに割り当てる段階は、前記第２通信端末を、前記第２データから選択されたデータシンボルに離散フーリエ変換（ＤＦＴ）を適用すると共に、前記ＤＦＴの出力を少なくともいくつかの前記第２副搬送波上に変調することに割り当てる段階を有する請求項６記載の方法。
【請求項８】
前記第２副搬送波を割り当てる段階は、前記第２副搬送波の中の等しく離隔した副搬送波の複数のインターレースされた組を個々の複数の通信端末に割り当てる段階を有する請求項１又は２記載の方法。
【請求項９】
前記第２信号は、既知の波形を有しており、この場合に、前記第２通信端末と通信する段階は、前記既知の波形を受信及び処理することにより、前記第２通信端末に対する通信チャネルの応答を推定する段階を有する請求項１又は２記載の方法。
【請求項１０】
前記既知の波形は、低ＰＡＰＲミッドアンブルを有する請求項９記載の方法。
【請求項１１】
前記低ＰＡＰＲミッドアンブルは、周期的な波形を具備している請求項１０記載の方法。
【請求項１２】
前記第２端末と通信する段階は、前記第２通信端末が前記第１複数搬送波変調方式を使用して前記第２データを少なくともいくつかの前記第１副搬送波上において伝送する第１動作モードと、前記第２通信端末が前記第２複数搬送波変調方式を使用して前記第２データを少なくともいくつかの前記第２副搬送波上において伝送する第２動作モードの間において、前記第２通信端末を切り換える段階を有する請求項１又は２記載の方法。
【請求項１３】
前記第１及び第２動作モードの中のいずれかにおいて前記第２通信端末を動作させる段階は、第１電力閾値及び該第１電力閾値を上回る第２電力閾値を定義する段階と、前記第２通信端末の出力電力が前記第１閾値を下回っている際に前記第１動作モードを選択する段階と、前記第２通信端末の前記出力電力が前記第１及び第２閾値の間にある際に前記第２動作モードを選択する段階と、を有する請求項１２記載の方法。
【請求項１４】
前記第２通信端末と通信する段階は、複数のアンテナを介して複数の異なる通信チャネル上において前記第２データを受信する段階と、前記チャネルの応答を推定するべく、前記個々の通信チャネル上において前記第２通信端末によって伝送された既知の波形を受信及び処理する段階と、を有する請求項１又は２記載の方法。
【請求項１５】
前記既知の波形を受信する段階は、
前記第２副搬送波の個々のオーバーラップしていないサブセット上においてパラレルに前記波形を受信する段階と、
個々の異なる時間インターバルにおいて前記波形を受信する段階と、
の中のいずれかを有する請求項１４記載の方法。
【請求項１６】
前記第２通信端末と通信する段階は、複数のアンテナを介して複数の異なる通信チャネル上において前記第２信号を受信する段階と、判定指向のデコーディングプロセスを使用することにより、前記第２信号から前記第２データをデコーディングする段階を有しており、
前記判定指向のデコーディングプロセスは、
少なくともいくつかの前記第２副搬送波上において個別に受信された個々の複数の受信及びイコライズされたシンボルに基づいて複数のソフトシンボルを生成する段階と、
前記ソフト受信シンボルにフーリエ変換を適用する段階と、
前記フーリエ変換の出力を処理することにより、前記個々のソフト受信シンボルに基づいてハードシンボル判定を生成する段階と、
前記ハードシンボル判定に逆フーリエ変換を適用する段階と、
による、請求項１又は２記載の方法。
【請求項１７】
複数の副搬送波を使用する多重アクセス通信システム内の基地局において、
第１副搬送波を第１データを伝送する第１通信端末に、そして、第２副搬送波を第２データを伝送する第２通信端末に割り当て、第１通信端末を、第１複数搬送波変調方式を使用して前記第１データを少なくともいくつかの前記第１副搬送波上に変調し、第１信号を生成することに割り当てると共に、前記第２通信端末を、前記第１複数搬送波変調方式との関係において低減されたピーク対平均電力比（ＰＡＰＲ）を具備した第２複数搬送波変調方式を使用して前記第２データを少なくともいくつかの前記第２副搬送波上に変調し、第２信号を生成することに割り当てるべく構成されたコントローラと、
それぞれ、前記第１及び第２副搬送波が前記第１及び第２通信端末に割り当てられたことを通知するべく構成された送信機と、
前記第１及び第２信号を前記第１及び第２副搬送波上において同時に受信することにより、前記第１及び第２通信端末と同時に通信するべく構成された受信機と、
を有する基地局。
【請求項１８】
前記第１信号は、直交周波数分割多重アクセス（ＯＦＤＭＡ）信号を有する請求項１７記載の基地局。
【請求項１９】
前記受信機は、ＩＥＥＥ８０２．１６ｅ規格のＡＭＣ（Ａｄａｐｔｉｖｅ  Ｍｏｄｕｌａｔｉｏｎ  ａｎｄ  Ｃｏｄｉｎｇ）モード、ＰＵＳＣ（Ｐａｒｔｉａｌｌｙ−Ｕｓｅｄ  Ｓｕｂ−Ｃｈａｎｎｅｌｉｎｇ）モード、ＦＵＳＣ（Ｆｕｌｌｙ−Ｕｓｅｄ  Ｓｕｂ−Ｃｈａｎｎｅｌｉｎｇ）、及びＯｐｔｉｏｎａｌ  ＰＵＳＣモードから構成されたモードの群から選択された少なくとも１つのアップリンクモードにおいて動作するべく構成されている請求項１７又は１８記載の基地局。
【請求項２０】
前記第２信号は、前記第２副搬送波の中の等しく離隔した副搬送波の組を占有する周波数シフトされた周期的な波形を有する請求項１７又は１８記載の基地局。
【請求項２１】
前記コントローラは、前記第２副搬送波の中の等しく離隔した副搬送波の複数のインターレースされた組を個々の複数の通信端末に割り当てるべく構成されている請求項１７又は１８記載の基地局。
【請求項２２】
前記第２信号は、既知の波形を有しており、この場合に、前記受信機は、前記既知の波形を受信及び処理することにより、前記基地局と前記第２通信端末の間の通信チャネルの応答を推定するべく構成されている請求項１７又は１８記載の基地局。
【請求項２３】
前記既知の波形は、低ＰＡＰＲミッドアンブルを有する請求項２２記載の基地局。
【請求項２４】
前記低ＰＡＰＲミッドアンブルは、周期的な波形を具備している請求項２３記載の基地局。
【請求項２５】
前記コントローラは、前記第２通信端末が前記第１複数搬送波変調方式を使用して前記第２データを少なくともいくつかの前記第１副搬送波上において伝送する第１動作モードと、前記第２通信端末が前記第２複数搬送波変調方式を使用して前記第２データを少なくともいくつかの前記第２副搬送波上において伝送する第２動作モードの間において、前記第２通信端末を切り換えるべく構成されている請求項１７又は１８記載の基地局。
【請求項２６】
前記コントローラは、第１電力閾値及び該第１電力閾値を上回る第２電力閾値の定義を受け付け、前記第２通信端末の出力電力が前記第１閾値を下回っている際に前記第１動作モードを選択すると共に、前記第２通信端末の前記出力電力が前記第１及び第２閾値の間にある際に前記第２動作モードを選択するべく構成されている請求項２５記載の基地局。
【請求項２７】
前記受信機は、複数のアンテナを介して複数の異なる通信チャネル上において前記第２通信端末から前記第２データを受信すると共に、前記チャネルの応答を推定するために、前記個々の通信チャネル上において前記第２通信端末によって伝送された既知の波形を受信及び処理するべく構成されている請求項１７又は１８記載の基地局。
【請求項２８】
前記受信機は、
前記第２副搬送波の個々のオーバーラップしていないサブセット上においてパラレルに前記波形を受信する段階と、
個々の異なる時間インターバルにおいて前記波形を受信する段階と、
の中のいずれかを実行することにより、前記既知の波形を受信するべく構成されている請求項２７記載の基地局。
【請求項２９】
前記受信機は、複数のアンテナを介して複数の異なる通信チャネル上において前記第２信号を受信すると共に、判定指向のデコーディングプロセスを使用して前記第２信号から前記第２データをデコーディングするべく構成されており、
前記判定指向のデコーディングプロセスは、
少なくともいくつかの前記第２副搬送波上において個別に受信された個々の複数の受信及びイコライズされたシンボルに基づいて複数のソフトシンボルを生成する段階と、
前記ソフト受信シンボルにフーリエ変換を適用する段階と、
前記フーリエ変換の出力を処理することにより、前記個々のソフト受信シンボルに基づいてハードシンボル判定を生成する段階と、
前記ハードシンボル判定に逆フーリエ変換を適用する段階と、
による、請求項１７又は１８記載の基地局。
【請求項３０】
複数の副搬送波を使用する多重アクセス通信システムであって、
第１複数搬送波変調方式を使用した伝送のために第１副搬送波を割り当て、前記第１複数搬送波変調方式との関係において低減されたピーク対平均電力比（ＰＡＰＲ）を具備した第２複数搬送波変調方式を使用した伝送のために第２副搬送波を割り当て、前記第１及び第２副搬送波が前記第１及び第２通信端末にそれぞれ割り当てられたことを通知すると共に、前記第１及び第２副搬送波上において前記第１及び第２複数搬送波変調方式を使用してそれぞれ伝送されたアップリンクデータを同時に受信するべく適合された基地局と、
前記第１複数搬送波変調方式を使用して少なくともいくつかの前記第１副搬送波上に第１データを変調して第１信号を生成すると共に、前記第１信号を前記基地局に伝送するべく構成された第１通信端末と、
前記第２複数搬送波変調方式を使用して少なくともいくつかの前記第２副搬送波上に第２データを変調して第２信号を生成すると共に、前記第２信号を前記基地局に伝送するべく構成された第２通信端末と、
を有する多重アクセス通信システム。